(57)【要約】【課題】  本発明は、航空機推進及び補助動力用に用いるガスタービンエンジンを運転するための方法及び装置を提供する。【解決手段】  航空機ガスタービンエンジン組立体（１０）は、コアエンジン（１３）と排気口（３２）とを備えた少なくとも１つの推進ガスタービンエンジン（１１）を含む。コアエンジンは、航空機の推力を発生するための少なくとも１つのタービン（２０）を含み、少なくとも１つの補助エンジン（１２）は、入口（２４）と少なくとも１つのタービン（４４）と排気口（８０）とを含む。入口は少なくとも１つの推進ガスタービンエンジンに流体連通した状態で結合されて、推進エンジンを通って流れる空気流の一部分を推進エンジンタービンの上流で該推進エンジンから取り出しかつ補助エンジンに流して動力を発生するようになっている。【選択図】      図１
2005256840.tif 000002
【特許請求の範囲】
【請求項１】
少なくとも１つのタービン（２０）を含むコアエンジン（１３）と排気口（３２）とを含む、航空機の推力を発生するための少なくとも１つの推進ガスタービンエンジン（１１）と、
入口（２４）と少なくとも１つのタービン（４４）と排気口（８０）とを含む少なくとも１つの補助エンジン（１２）と、を含み、
前記入口が前記少なくとも１つの推進ガスタービンエンジンに流体連通した状態で結合されて、前記推進エンジンを通って流れる空気流（３１）の一部分を前記推進エンジンタービンの上流で該推進エンジンから取り出しかつ前記補助エンジンに流して動力を発生するようになっている、
航空機ガスタービンエンジン組立体（１０）。
【請求項２】
前記少なくとも１つの推進エンジン（１１）から取り出した空気流（３１）が、該推進ガスタービンエンジンに流入する空気流よりも高い圧力で前記少なくとも１つの補助エンジン（１２）に流される、請求項１記載の航空機ガスタービンエンジン組立体（１０）。
【請求項３】
前記少なくとも１つの補助エンジン（１２）が、前記少なくとも１つの推進ガスタービンエンジン（１１）から独立して運転可能である、請求項１記載の航空機ガスタービンエンジン組立体（１０）。
【請求項４】
前記少なくとも１つの補助エンジン（１２）が、前記ガスタービンエンジン組立体の運転時に増大したシャフト馬力を発生するのを可能にする、請求項１記載の航空機ガスタービンエンジン組立体（１０）。
【請求項５】
前記補助エンジン入口（２４）と前記少なくとも１つの推進エンジン（１１）との間に結合された中間冷却器（１０）をさらに含み、前記中間冷却器が、前記少なくとも１つの補助エンジン（１２）の動力発生を増大させるのを可能にする、請求項１記載の航空機ガスタービンエンジン組立体（１０）。
【請求項６】
前記補助エンジン（１２）に結合された、該補助エンジンタービン（４４）の運転速度を制御するための制御システム（６２）をさらに含む、請求項１記載の航空機ガスタービンエンジン組立体（１０）。
【請求項７】
前記制御システム（６２）が、前記補助エンジン（１２）に流れ連通状態で結合された少なくとも１つの絞り弁６１を含む、請求項６記載の航空機ガスタービンエンジン組立体（１０）。
【請求項８】
前記補助エンジン排気口（８０）及び少なくとも１つの推進ガスタービンエンジン排気口（３２）に流れ連通状態で結合された可変面積バイパスインジェクタ（８２）をさらに含む、請求項１記載の航空機ガスタービンエンジン組立体（１０）。
【請求項９】
前記少なくとも１つの補助エンジン（１２）が、前記少なくとも１つの推進エンジン（１１）のサージマージンを向上させるのを可能にする、請求項４記載の航空機ガスタービンエンジン組立体（１０）。
【請求項１０】
前記補助エンジン（１２）が、前記少なくとも１つの推進エンジン（１１）の運転性能を向上させるのを可能にする、請求項１記載の航空機ガスタービンエンジン組立体（１０）。
【発明の詳細な説明】
【技術分野】
【０００１】
本発明は、総括的にはガスタービンエンジンに関し、より具体的には、航空機推進及び補助動力用に用いるガスタービンエンジンを運転するための方法及び装置に関する。
【背景技術】
【０００２】
ガスタービンエンジンは、一般的に空気を加圧するための圧縮機を含む。加圧された空気は、燃料と混合されて燃焼器に流され、燃焼器において燃料／空気混合気は燃焼室内で点火されて、高温燃焼ガスを発生する。燃焼ガスは、タービンに流され、タービンは、燃焼ガスからエネルギーを取り出して圧縮機に動力を供給すると共に、有用な仕事を行う。その後、排気ガスは排気ノズルを通して吐出され、従って反動推進力を発生する。
【０００３】
最新の航空機では、油圧及び電気負荷が増大してきている。飛行コンピュータ、通信機器、ナビゲーション機器、レーダ、環境制御システム、最新式ウェポンシステム及び防御システムが航空機に組合されるので、ガスタービンエンジンの要求電気負荷が増大する。飛行制御装置、ポンプ、アクチュエータ及び他の補機が航空機に組合されるので、ガスタービンエンジンの要求油圧負荷が増大する。少なくとも一部の公知の航空機内部では、機械的シャフト出力を用いて油圧ポンプ、発電機及びオルタネータに動力を供給する。より具体的には、電気及び油圧機器は、一般的にタービンに結合されたシャフトによって駆動される補機ギヤボックスに結合される。付加的電力又は油圧出力が必要な場合には、所定の最大温度及び／又は出力作動レベルに達するまで、付加的燃料が燃焼器に加えられる。
【０００４】
高度が増してくるにつれて空気濃度が希薄になるので、航空機をより高い高度で飛行させた場合、エンジンは、エンジンがより低い高度で発生するのと同じシャフト出力を発生するためにはより強力に働かなければならない。仕事が増大する結果として、タービンは高い作動温度で運転されることになり、エンジンの所定運転限度値を超えるのを防止するためにシャフト出力を制限するか又は減少させなければならなくなる。
【０００５】
少なくとも一部の公知のガスタービンエンジン内部では、電力及び油圧出力はまた、補助動力装置（ＡＰＵ）によって発生される。ＡＰＵは、航空機に推力を供給するガスタービンエンジンから独立して運転される小型ターボシャフトエンジンである。より具体的には、ＡＰＵ運転はまた、空気濃度によっても影響を受け、またさらに所定温度及び性能限度値によっても運転を制限されるので、ＡＰＵは、一般的に航空機が地上にある場合又は航空機が飛行中に緊急状態にある場合にのみ運転される。
【特許文献１】米国特許６，４５７，３０５号公報
【発明の開示】
【課題を解決するための手段】
【０００６】
１つの態様では、ガスタービンエンジン組立体を組み立てる方法を提供する。本方法は、少なくとも１つの圧縮機と１つの燃焼器と少なくとも１つのタービンとを備えたコアエンジンを含む少なくとも１つの推進ガスタービンエンジンを準備する段階を含む。本方法はまた、推進ガスタービンエンジンの運転時に推進ガスタービンエンジンに流入する空気流の少なくとも一部分をコアエンジンタービンの上流で該推進ガスタービンエンジンから取り出しかつ補助エンジンに流して動力を発生させるように、補助エンジンを推進ガスタービンエンジンに結合する段階を含む。
【０００７】
別の態様では、ガスタービンエンジン組立体を提供する。本ガスタービンエンジン組立体は、少なくとも１つの推進ガスタービンエンジンと少なくとも１つの補助エンジンとを含む。少なくとも１つの推進ガスタービンエンジンは、ファンとファンの下流のコアエンジンとを含む。補助エンジンは、動力を発生するために用いられ、少なくとも１つの入口と少なくとも１つのタービンとを含む。入口は、推進ガスタービンエンジンのコアエンジンに流れ連通状態で結合されて、コアエンジンに流入する空気流の一部分を補助エンジンによって用いるために流すようになっており、また推進ガスタービンエンジンは、ガスタービンエンジン組立体の推力を発生する。
【０００８】
さらに別の態様では、航空機ガスタービンエンジン組立体を提供する。ガスタービンエンジン組立体は、少なくとも１つの推進ガスタービンエンジンと少なくとも１つの補助エンジンとを含む。推進ガスタービンエンジンは、少なくとも１つのタービンを備えたコアエンジンを含む。推進ガスタービンエンジンは、航空機の推力を発生するために用いられる。補助エンジンは、入口と少なくとも１つのタービンと排気口とを含み、入口は推進ガスタービンエンジンと流れ連通状態で結合されて、推進エンジンを通って流れる空気流の一部分を推進エンジンタービンの上流で該推進エンジンから取り出しかつ補助エンジンに流して動力を発生するようになっている。
【発明を実施するための最良の形態】
【０００９】
図１は、推進ガスタービンエンジン１１と後でより詳細に説明するように複合サイクルの形態で互い結合された補助動力ユニット又は補助動力エンジン１２とを含むガスタービンエンジン組立体１０の例示的な概略図である。より具体的には、ガスタービンエンジン組立体１０は、後でより詳細に説明するように、シャフト出力と航空機（図示せず）の推進力と発生するのを可能にする。
【００１０】
ガスタービンエンジン１１は、コアエンジン１３とファン組立体１４と低圧タービン組立体２０とを含む。コアエンジン１３は、高圧圧縮機１６と燃焼器（図示せず）と高圧タービン１８とを含む。ファン組立体１４とタービン２０とは、第１のシャフト２２によって結合され、また圧縮機１６とタービン１８とは、第２のシャフト２３によって結合される。ガスタービンエンジン１１はまた、入口側２４と排出側２６とを含む。１つの実施形態では、エンジン１１は、オハイオ州シンシナティ所在のＧｅｎｅｒａｌ  Ｅｌｅｃｔｒｉｃ  Ａｉｒｃｒａｆｔ  Ｅｎｇｉｎｅｓから購入可能なＦ１１８−ＧＥ−１００型ターボファンエンジンである。
【００１１】
運転中、矢印３０で表す入口空気はファン組立体１４に流入し、ファン組立体１４において空気は加圧され、矢印３１で表すように、上昇した圧力及び温度でコアエンジン１３に向かって、より具体的には高圧圧縮機１６に向かって下流方向に吐出される。１つの実施形態では、エンジン１１はバイパスダクト（図示せず）を含み、ファン組立体１４から吐出された空気３１の一部分がさらに、コアエンジン１１ではなくバイパスダクト内にも流れるようになっている。
【００１２】
高度に加圧された空気３５は燃焼器（図示せず）に送られて、燃焼器内において、加圧空気３５は燃料と混合されかつ点火される。燃焼ガスは、タービン１８及び２０を回転させ、これらタービン１８及び２０は、それぞれ圧縮機１６及びファン組立体１４を駆動する。この例示的な実施形態では、コアエンジン排気３２は、エンジンから吐出されて、ガスタービンエンジン組立体１０による推進力を発生する。この例示的な実施形態では、コアエンジン排気３２は、コアエンジン排気口３２及び補助エンジン排気口８０に流れ連通状態で結合された可変面積バイパスインジェクタ８２に流れる。別の実施形態では、コアエンジン排気３２は、コアエンジン排気口３２に流れ連通状態で結合された混合ダンパー（図示せず）に流れる。さらに別の実施形態では、コアエンジン排気流及びファン空気は、補助エンジン排気口８０から別々に吐出されて推力を発生する。
【００１３】
補助動力エンジン１２は、後でより詳細に説明するように、エンジン１１に流れ連通状態で結合され、圧縮機４２と高圧タービン４４と低圧タービン４６とを含む。圧縮機４２と高圧タービン４４とは、第１のシャフト４３によって結合されて、燃焼ガスがタービン４４を回転させると、タービン４４は圧縮機４２を駆動するようになる。補助エンジン１２はまた、低圧タービン４６に結合された第２のシャフト４８を含み、第２のシャフト４８が、航空機で用いるための矢印４９で表すシャフト出力を供給する。出力４９は、それに限定されないが、オルタネータ、発電機及び／又は油圧ポンプのような機器を駆動するために用いることができる。１つの実施形態では、補助動力エンジン１２は、オハイオ州シンシナティ所在のＧｅｎｅｒａｌ  Ｅｌｅｃｔｒｉｃ  Ｃｏｍｐａｎｙから購入可能でありかつ本発明に従って改造したＴ７００−ＧＥ−７０１型エンジンのようなターボシャフトエンジンである。
【００１４】
補助ダクト配置（図示せず）により、補助動力エンジン１２をエンジン１１に結合して、コアエンジン１３に向かって流れる空気３１の一部分が補助動力エンジン１２に導かれることを可能にする。より具体的には、矢印５２で表す補助空気流は、コアエンジンタービン１８の上流位置でコアエンジン１３から取り出される。この例示的な実施形態では、空気流５２は、高圧圧縮機１６から抽気され、補助エンジン圧縮機４２に向かって送られる。別の実施形態では、補助動力エンジン１２は、一対のエンジン１１に流れ連通状態で結合されて、各エンジン１１から高圧空気流５４を受ける。さらに別の実施形態では、一対の補助動力エンジン１２は、単一のエンジン１１に流れ連通状態で結合されて、両方ともエンジン１１から高圧空気流５４を受ける。より具体的には、この例示的な実施形態では、圧縮機１６は多段圧縮機であり、空気５２は、補助エンジン１２の圧力、温度及び流量要件に基づいて任意の圧縮機段において取り出すことができる。別の実施形態では、空気５２は、圧縮機１６の下流で取り出される。さらに別の実施形態では、空気５２は、圧縮機１６の上流で取り出される。１つの実施形態では、圧縮機１６内に流れ込む空気のおよそ最大１０％又はそれ以上までが、補助エンジン１２で用いるために取り出される。さらに別の実施形態では、空気５２は、それから取り出すことに限定されないが、ブースタ中間段、ブースタ吐出口、ファン中間段、ファン吐出口、圧縮機入口、圧縮機中間段又は圧縮機吐出ブリードポートの何れかから取り出される。別の実施形態では、ファン１４内に流れ込む空気のおよそ最大１０％又はそれ以上までが、補助エンジン１２で用いるために取り出される。
【００１５】
別の実施形態では、エンジン１１は、加圧又は圧縮空気を補助動力エンジン１２に供給する。例えば、１つの実施形態では、航空機客室に供給された加圧空気は、航空機環境制御システム内で用いた後に補助動力エンジン１２に送られる。さらに別の実施形態では、補助動力エンジン１２は、エンジン１１からの空気流と環境空気流とを混合したものを受ける。
【００１６】
補助エンジン１２に向かって導かれる補助空気流５４は、ガスタービンエンジン組立体１０に流入する空気流３０よりも高圧かつ高温である。その上に、補助空気流３０は、ガスタービンエンジンエンジン組立体１０に流入する空気流よりも上昇した圧力及び温度であるので、空気流５４の濃度は、より低い高度において補助エンジン１２に流入する空気流の濃度にほぼ同じである。従って、補助エンジン１２の出力は、コアエンジン１１の運転時における流入空気の濃度に比例するので、補助エンジン１２は、より低い高度において補助エンジン１２によって得られるのとほぼ同じ運転及び性能特性でより高い高度において運転可能である。例えば、Ｆ１１０／Ｆ１１８型系列のエンジンで用いた場合には、補助エンジン１２は、該補助エンジン１２が独立して海水準において運転しているとした場合に得られるのとほぼ同じ馬力及び運転特性を３００００〜４００００フィートの高度において発生する。従って、運行飛行高度において、コアエンジン１１から取り出される比較的少量の高圧空気で、補助動力エンジン１２は、海水準における運転において該補助動力エンジン１２から得られる出力レベルと同様の出力レベルを出力することが可能になる。
【００１７】
この例示的な実施形態では、補助空気流５２は、補助エンジン圧縮機４２に供給される前に中間冷却器６０を通って流れる。中間冷却器６０は、互いに熱伝達状態になった２つの空気流（図示せず）を有し、最小の圧力損失で多量のエネルギーを熱として交換するように設計されている。この例示的な実施形態では、補助空気流５２は熱源であり、第２の空気流がヒートシンクとして用いられる。１つの実施形態では、第２の空気流は、ファン吐出空気流である。別の実施形態では、第２の空気流は、エンジンナセルを通して送られ、機外に吐出される前に中間冷却器６０を通過する環境空気流である。より具体的には、中間冷却器６０を通って流れる他の空気流の温度が熱の伝達により上昇するにつれて、補助空気流５４の作動温度を中間冷却器６０内部で低下させることが可能になる。別の実施形態では、タービンエンジン組立体１０は、中間冷却器６０を含まない。
【００１８】
中間冷却器６０は、流量を増加させないでまた現存のタービンハードウェアを変更しないで、補助動力エンジン１２に供給されるブリード空気５４の１ポンド当たりの出力量を増大させることを可能にする。制御システム６２は、発電機制御システム（図示せず）に結合されて、補助動力エンジン１２の運転速度を調製するのを可能にする。１つの実施形態では、制御システム６２は、可変流路面積絞り弁６１を制御することによってエンジン１２に供給される入口空気５２を絞り、かつ／或いは可変流路面積出口ノズル６３又は可変面積バイパスインジェクタ８２を制御することによってエンジン背圧を制御して、補助動力エンジン１２の運転を制御することを可能にする。
【００１９】
補助動力エンジン１２からの排気空気流８０は、コアエンジン１３から吐出された排気流３２の吐出圧力とほぼ同じである吐出圧力でコアエンジン排気３２に向かって流れる。具体的には、この例示的な実施形態では、補助エンジン排気空気流８０は、可変面積バイパスインジェクタ８２を通して送られ、可変面積バイパスインジェクタ８２が、コアエンジン１３から流出した排気流３２を補助エンジン排気空気流８０と混合するのを可能にする。より具体的には、この例示的な実施形態では、排気空気流８０は、推進コアエンジンノズル（図示せず）の上流でコアエンジン排気流３２に再導入される。混合された排気流７０は、次にエンジンノズル（図示せず）を通して吐出される。別の実施形態では、排気空気流８０は、コアエンジン排気流３２と混合されるのではなくて、排気流３２とは独立して吐出される。
【００２０】
従って、補助動力エンジン１２は、運転した場合、航空機内部で用いるためのシャフト出力の発生を増大させるのを可能にする。より具体的には、補助動力エンジン１２は、シャフト出力を発生するように選択的に運転可能であるので、補助動力エンジン１２は必要な場合のみ用いることが可能であり、従って航空機の燃料節約を可能にする。加えて、ガスタービンエンジン組立体１０の設計は、補助動力エンジン１２を推進エンジン１１とは独立して運転することを可能にするので、補助動力エンジン１２の運転速度は、コアエンジン１１の運転速度の影響を受けない。そのため、補助動力エンジン１２は、コアエンジン１１の非運転期間の間に運転することが可能であり、さらに、エンジン１１の運転を開始するために必要な動力を供給するのに用いることができる。
【００２１】
補助動力エンジン１２の運転は、必要に応じて、空気流５２を抽気することによってエンジン１１のサージマージンを向上させるのを可能にするので、高度、設備又は変形の影響を克服することができる。さらに、高圧抽気を排除することによって、補助動力エンジン１２はまた、大きな動力を発生しながらコアエンジン１１の運転性能を向上させることも可能にする。その上に、推進エンジン１１及び補助動力エンジン１２の油圧機械的又はディジタル制御は、相互の運転状態及び性能パラメータ値（圧力、温度、ＲＰＭ等）を互に代替し合うように構成される。
【００２２】
上述の動力システムは、費用効果がありかつシャフト出力の発生を向上させる。動力システムは、コアエンジンを通って流れる空気から補助タービンに供給される流入空気を取り出すように、ガスタービンエンジンに流れ連通状態で結合された補助タービンエンジンを含む。そのため、補助エンジンが通常の吸込み手段によるような従来型の手段によって周囲入口空気流を受けるようにした場合よりも高い濃度の空気が補助エンジンに供給される。従って、主エンジンから取り出される少量の高圧空気で、より小型のエンジンが海水準における運転の出力レベルと同様の出力レベルを出力することを可能にすることになる。その結果、空気の濃度を増大させるにより、費用効果がありかつ信頼性がある方法で補助エンジンからのシャフトタービン出力の発生を増大させることが可能になる。
【００２３】
以上、ガスタービン組立体の例示的な実施形態を詳述に説明している。本組立体は、本明細書に記載した特定の実施形態に限定されるものではなく、むしろ、各組立体の構成要素は、本明細書に記載した他の構成要素から独立してかつ別個に利用することができる。例えば、各タービン構成要素及び／又は補助タービンエンジン構成要素はまた、他のコアエンジン及び補助タービンエンジン構成要素と組合せて用いることも可能である。
【００２４】
様々な特定の実施形態に関して本発明を説明してきたが、本発明が本発明の技術思想及び技術的範囲内の変更で実施できることは、当業者には明らかであろう。特許請求の範囲に記載した参照符号は、本発明の技術的範囲を限定するためではなくそれらを容易に理解するためのものである。
【図面の簡単な説明】
【００２５】
【図１】ガスタービンエンジン組立体の例示的な概略図。
【符号の説明】
【００２６】
１０  ガスタービンエンジン組立体
１１  推進ガスタービンエンジン
１２  補助動力エンジン
１３  コアエンジン
１４  ファン組立体
１６  高圧圧縮機
１８  高圧タービン
２０  低圧タービン組立体
３０  入口空気
３２  コアエンジン排気
４２  補助動力エンジンの圧縮機
４４  補助動力エンジンの高圧タービン
４６  補助動力エンジンの低圧タービン
４９  補助動力エンジンのシャフト出力
５２、５４  補助空気流
６０  中間冷却器
６１  可変流路面積絞り弁
６２  制御システム
６３  可変流路面積出口ノズル
８０  補助動力エンジン排気
８２  可変面積バイパスインジェクタ
【図１】
2005256840.tif 000003
【外国語明細書】
2005256840000001.pdf